(57)【要約】      （修正有）【課題】本発明は安全な車用収納ボックスを提供する。【解決手段】収納箱１０及びカバープレート装置２００を含み、前記カバープレート装置はヒンジ接続軸１４と、密閉板１５とを含み、前記ヒンジ接続軸が前記収納箱に設置され、前記密閉板が前記ヒンジ接続軸にヒンジによって接続され、前記収納箱の中には収納チャンバ１６が設置される。本発明は構造が簡単で、使用が便利であり、酒を入れる瓶などのガラス容器をきつく挟んで収納でき、自動車が走行中に急ブレーキや衝突などの状況で容器が割れることを防止でき、安全な運転を保証でき、それと同時に本発明の挟み装置は調整されることができ、それにより異なる直径の容器をきつく挟め、実用性を大いに高める。【選択図】図１
2020142853.tif 000002
【特許請求の範囲】
【請求項１】
収納箱及びカバープレート装置を含み、前記カバープレート装置はヒンジ接続軸と、密閉板とを含み、前記ヒンジ接続軸が前記収納箱に設置され、前記密閉板が前記ヒンジ接続軸にヒンジによって接続され、前記収納箱の中には収納チャンバが設置され、前記収納チャンバの底壁にはクッションパッドが設置され、前記クッションバッドは柔軟性材質であり、前記収納箱の中には調節装置が設置され、前記調節装置は前記収納チャンバの左右壁に左右対称的に設置される左スライド溝と右スライド溝とを含み、前記左スライド溝及び前記右スライド溝の中には左調整ブロックと右調整ブロックがスライドできるように設置され、前記調節装置は横向き調節機構と縦調節機構を含み、前記横向き調節機構はノブを含み、前記縦調節装置は調整ロッドを含み、前記ノブと、前記調節ロッドとが手動で制御されることができ、調整に用いられ、それにより異なるサイズの容器を収納でき、前記収納チャンバの中には第一挟み装置及び第二挟み装置が設置され、前記第一挟み装置が前記調節装置と係合され、前記第二挟み装置が前記収納チャンバの内壁に縦にスライドできるように係合されることを特徴とする安全な車用収納ボックス。
【請求項２】
前記カバープレート装置は前記収納箱の上端面に設置されるロックチャンバを含み、前記密閉板の右側が前記ロックチャンバの中に挿入され、且つロックねじボルトにより固定され、それにより前記収納チャンバを密封することを特徴とする請求項１に記載の安全な車用収納ボックス。
【請求項３】
前記調節装置は前記左調整ブロックの中に設置され、且つ右方に開口した左ガイド溝を含み、前記左ガイド溝の中には左スライドブロックがスライドできるように設置され、前記右調整ブロックの中には左方に開口した右ガイド溝が設置され、前記横向き調節機構は前記右ガイド溝の底壁に設置される横向きスライド溝を含み、前記右調整ブロックの下端面には調整スライドブロックが固定的に設置され、前記横向きスライド溝の前後壁の間には親ねじが回転できるように設置され、前記親ねじが前記調整スライドブロックとねじ山によって係合され、前記親ねじが前へ前記収納箱の前側まで伸びており、前記ノブと接続され、それにより前記ノブを回す時に前記右調整ブロックの横向き位置を調整できる；
前記縦調整機構は前記右調整ブロックの後壁に固定的に設置される押圧バネを含み、前記押圧バネの前端には歯板が固定的に設置され、前記歯板の前端面にはサブ斜めブロックが固定的に設置され、前記右調整ブロックの前壁には右スライドブロックがスライドできるように設置され、前記右スライドブロックの中には前後に貫通するバネチャンバが設置され、前記バネチャンバの中には制御ブロックがスライドできるように設置され、前記制御ブロックの後端面にはメイン斜めブロックが固定的に設置され、前記制御ブロックの前端面と前記バネチャンバの前壁との間が戻しばねにより接続され、前記制御ブロックの前端面には前記調整ロッドが固定的に設置され、前記調整ロッドが前へ前記収納箱の前側まで伸びており、それにより前記調整ロッドにより前記右調整ブロックの鉛直方向の位置を調整できることを特徴とする請求項１に記載の安全な車用収納ボックス。
【請求項４】
前記第一挟み装置は前記左スライドブロックと前記右スライドブロックとの間に固定的に設置される中間板を含み、前記中間板の前端面には調整スライド溝が設置され、前記中間板には挟み機構が設置され、前記挟み機構は前記調整スライド溝の中にスライドできるように設置されるガイドブロックを含み、前記ガイドブロックの前端面には第一接続ロッドが固定的に設置され、前記第一接続ロッドの前端には固定板が固定的に設置され、前記固定板の前端面には固定箱が固定的に設置され、前記固定箱の中には前方に開口した緩衝チャンバが設置され、前記緩衝チャンバの中には緩衝ブロックがスライドできるように設置され、前記緩衝ブロックの後端面と前記緩衝チャンバの後壁との間が緩衝バネにより接続され、前記緩衝ブロックの前端面には前へ前記固定箱の前側まで伸びている第二接続ロッドが固定的に設置され、前記第二接続ロッドの前端には挟みブロックが固定的に設置され、前記挟み機構及び前記挟み機構の位置を調整することにより異なる容器を収納できることを特徴とする請求項１に記載の安全な車用収納ボックス。
【発明の詳細な説明】
【技術分野】
【０００１】
本発明は収納ボックス技術分野に関わり、具体的には安全な車用収納ボックスである。
【背景技術】
【０００２】
自動車のトランクにある車用収納ボックスは、自動車の高速運転、また加速と減速などに伴うことで、スライドまた移動しやすく、それにより衝突又は傾いて倒れることが発生し、例えガラス容器の中には液体が入れてあれば、容器が割れて液体が漏れる可能性がある。
【先行技術文献】
【特許文献】
【０００３】
【特許文献１】中国特許出願公開第１０３３１８０９３号明細書
【発明の概要】
【発明が解決しようとする課題】
【０００４】
上記技術の欠点を解消するために、本発明は安全な車用収納ボックスを提供し、上記欠点を解消することができる。
【課題を解決するための手段】
【０００５】
本発明は安全な車用収納ボックスを開示し、安全な車用収納ボックスは収納箱及びカバープレート装置を含み、前記カバープレート装置はヒンジ接続軸と、密閉板とを含み、前記ヒンジ接続軸が前記収納箱に設置され、前記密閉板が前記ヒンジ接続軸にヒンジによって接続され、前記収納箱の中には収納チャンバが設置され、前記収納チャンバの底壁にはクッションパッドが設置され、前記クッションバッドは柔軟性材質であり、前記収納箱の中には調節装置が設置され、前記調節装置は前記収納チャンバの左右壁に左右対称的に設置される左スライド溝と右スライド溝とを含み、前記左スライド溝及び前記右スライド溝の中には左調整ブロックと右調整ブロックがスライドできるように設置され、前記調節装置は横向き調節機構と縦調節機構を含み、前記横向き調節機構はノブを含み、前記縦調節装置は調整ロッドを含み、前記ノブと、前記調節ロッドとが手動で制御されることができ、調整に用いられ、それにより異なるサイズの容器を収納でき、前記収納チャンバの中には第一挟み装置及び第二挟み装置が設置され、前記第一挟み装置が前記調節装置と係合され、前記第二挟み装置が前記収納チャンバの内壁に縦にスライドできるように係合される。
【０００６】
好ましくは、前記カバープレート装置は前記収納箱の上端面に設置されるロックチャンバを含み、前記密閉板の右側が前記ロックチャンバの中に挿入され、且つロックねじボルトにより固定され、それにより前記収納チャンバを密封する。
【０００７】
好ましくは、前記調節装置は前記左調整ブロックの中に設置され、且つ右方に開口した左ガイド溝を含み、前記左ガイド溝の中には左スライドブロックがスライドできるように設置され、前記右調整ブロックの中には左方に開口した右ガイド溝が設置され、前記横向き調節機構は前記右ガイド溝の底壁に設置される横向きスライド溝を含み、前記右調整ブロックの下端面には調整スライドブロックが固定的に設置され、前記横向きスライド溝の前後壁の間には親ねじが回転できるように設置され、前記親ねじが前記調整スライドブロックとねじ山によって係合され、前記親ねじが前へ前記収納箱の前側まで伸びており、前記ノブと接続され、それにより前記ノブを回す時に前記右調整ブロックの横向き位置を調整できる。
【０００８】
前記縦調整機構は前記右調整ブロックの後壁に固定的に設置される押圧バネを含み、前記押圧バネの前端には歯板が固定的に設置され、前記歯板の前端面にはサブ斜めブロックが固定的に設置され、前記右調整ブロックの前壁には右スライドブロックがスライドできるように設置され、前記右スライドブロックの中には前後に貫通するバネチャンバが設置され、前記バネチャンバの中には制御ブロックがスライドできるように設置され、前記制御ブロックの後端面にはメイン斜めブロックが固定的に設置され、前記制御ブロックの前端面と前記バネチャンバの前壁との間が戻しばねにより接続され、前記制御ブロックの前端面には前記調整ロッドが固定的に設置され、前記調整ロッドが前へ前記収納箱の前側まで伸びており、それにより前記調整ロッドにより前記右調整ブロックの鉛直方向の位置を調整できる。
【０００９】
好ましくは、前記第一挟み装置は前記左スライドブロックと前記右スライドブロックとの間に固定的に設置される中間板を含み、前記中間板の前端面には調整スライド溝が設置され、前記中間板には挟み機構が設置され、前記挟み機構は前記調整スライド溝の中にスライドできるように設置されるガイドブロックを含み、前記ガイドブロックの前端面には第一接続ロッドが固定的に設置され、前記第一接続ロッドの前端には固定板が固定的に設置され、前記固定板の前端面には固定箱が固定的に設置され、前記固定箱の中には前方に開口した緩衝チャンバが設置され、前記緩衝チャンバの中には緩衝ブロックがスライドできるように設置され、前記緩衝ブロックの後端面と前記緩衝チャンバの後壁との間が緩衝バネにより接続され、前記緩衝ブロックの前端面には前へ前記固定箱の前側まで伸びている第二接続ロッドが固定的に設置され、前記第二接続ロッドの前端には挟みブロックが固定的に設置され、前記挟み機構及び前記挟み機構の位置を調整することにより異なる容器を収納できる。
【発明の効果】
【００１０】
上記により、本発明は構造が簡単で、使用が便利であり、酒を入れる瓶などのガラス容器をきつく挟んで収納でき、自動車が走行中に急ブレーキや衝突などの状況で容器が割れることを防止でき、安全な運転を保証でき、それと同時に本発明の挟み装置は調整されることができ、それにより異なる直径の容器をきつく挟め、実用性を大いに高める。
【図面の簡単な説明】
【００１１】
下記に図１−４を合わせて本発明を詳しく説明し、意思の疎通をもっと便利にすることができるため、後文に出る方位を下記の通りに規定する：下記に述べた上下左右前後の方向は図１自体の投影関係の上下左右前後の方向と一致している。
【００１２】
【図１】図１は本発明の安全な車用収納ボックスの整体構造概略図である；
【図２】図２は図１のＡ−Ａのところの構造概略図である；
【図３】図３は図１のＢ−Ｂのところの構造概略図である；
【図４】図４は図１のＣ−Ｃのところの構造概略図である。
【発明を実施するための形態】
【００１３】
下記に附図説明と実施例を合わせて本発明を更に説明し、本発明の方式は下記の実施例を含み、しかし下記の実施例に限定されたものではない。
【００１４】
図１−４に示すように、本発明装置の安全な車用収納ボックスは、収納箱１０及びカバープレート装置２００を含み、前記カバープレート装置２００はヒンジ接続軸１４と、密閉板１５とを含み、前記ヒンジ接続軸１４が前記収納箱１０に設置され、前記密閉板１５が前記ヒンジ接続軸１４にヒンジによって接続され、前記収納箱１０の中には収納チャンバ１６が設置され、前記収納チャンバ１６の底壁にはクッションパッド２３が設置され、前記クッションバッド２３は柔軟性材質であり、前記収納箱１０の中には調節装置３００が設置され、前記調節装置３００は前記収納チャンバ１６の左右壁に左右対称的に設置される左スライド溝１１と右スライド溝２７とを含み、前記左スライド溝１１及び前記右スライド溝２７の中には左調整ブロック３１と右調整ブロック３２がスライドできるように設置され、前記調節装置３００は横向き調節機構と縦調節機構を含み、前記横向き調節機構はノブ４６を含み、前記縦調節装置３００は調整ロッド２２を含み、前記ノブ４６と、前記調節ロッド２２とが手動で制御されることができ、調整に用いられ、それにより異なるサイズの容器を収納でき、前記収納チャンバ１６の中には第一挟み装置１００及び第二挟み装置１０１が設置され、前記第一挟み装置１００が前記調節装置３００と係合され、前記第二挟み装置１０１が前記収納チャンバ１６の内壁に縦にスライドできるように係合される。
【００１５】
有益なように、前記カバープレート装置２００は前記収納箱１０の上端面に設置されるロックチャンバ２４を含み、前記密閉板１５の右側が前記ロックチャンバ２４の中に挿入され、且つロックねじボルトにより固定され、それにより前記収納チャンバ１６を密封する。
【００１６】
有益なように、前記調節装置３００は前記左調整ブロック３１の中に設置され、且つ右方に開口した左ガイド溝１２を含み、前記左ガイド溝１２の中には左スライドブロック１３がスライドできるように設置され、前記右調整ブロック３２の中には左方に開口した右ガイド溝２６が設置され、前記横向き調節機構は前記右ガイド溝２７の底壁に設置される横向きスライド溝２８を含み、前記右調整ブロック３２の下端面には調整スライドブロック３０が固定的に設置され、前記横向きスライド溝２８の前後壁の間には親ねじ２９が回転できるように設置され、前記親ねじ２９が前記調整スライドブロック３０とねじ山によって係合され、前記親ねじ２９が前へ前記収納箱１０の前側まで伸びており、前記ノブ４６と接続され、それにより前記ノブ４６を回す時に前記右調整ブロック３２の横向き位置を調整できる。
【００１７】
前記縦調整機構は前記右調整ブロック３２の後壁に固定的に設置される押圧バネ３３を含み、前記押圧バネ３３の前端には歯板３４が固定的に設置され、前記歯板３４の前端面にはサブ斜めブロック５０が固定的に設置され、前記右調整ブロック３２の前壁には右スライドブロック１９がスライドできるように設置され、前記右スライドブロック１９の中には前後に貫通するバネチャンバ３５が設置され、前記バネチャンバ３５の中には制御ブロック３７がスライドできるように設置され、前記制御ブロック３７の後端面にはメイン斜めブロック３８が固定的に設置され、前記制御ブロック３７の前端面と前記バネチャンバ３５の前壁との間が戻しばね３６により接続され、前記制御ブロック３７の前端面には前記調整ロッド２２が固定的に設置され、前記調整ロッド２２が前へ前記収納箱１０の前側まで伸びており、それにより前記調整ロッド２２により前記右調整ブロック３２の鉛直方向の位置を調整できる。
【００１８】
有益なように、前記第一挟み装置１００は前記左スライドブロック１３と前記右スライドブロック１９との間に固定的に設置される中間板１７を含み、前記中間板１７の前端面には調整スライド溝２０が設置され、前記中間板１７には挟み機構１０３が設置され、前記挟み機構１０３は前記調整スライド溝２０の中にスライドできるように設置されるガイドブロック４２を含み、前記ガイドブロック４２の前端面には第一接続ロッド４１が固定的に設置され、前記第一接続ロッド４１の前端には固定板２１が固定的に設置され、前記固定板２１の前端面には固定箱４３が固定的に設置され、前記固定箱４３の中には前方に開口した緩衝チャンバ４５が設置され、前記緩衝チャンバ４５の中には緩衝ブロック４０がスライドできるように設置され、前記緩衝ブロック４０の後端面と前記緩衝チャンバ４５の後壁との間が緩衝バネ４４により接続され、前記緩衝ブロック４０の前端面には前へ前記固定箱４３の前側まで伸びている第二接続ロッド３９が固定的に設置され、前記第二接続ロッド３９の前端には挟みブロック１８が固定的に設置され、前記挟み機構１０３及び前記挟み機構１０３の位置を調整することにより異なる容器を収納できる。
【００１９】
前記の安全な車用収納ボックスの実現方法は、下記のステップを含む：
【００２０】
密閉板１５を開き、ノブ４６を回すことにより親ねじ２９を回転連動させ、右調整ブロック３２を前後へ移動させて横向きの調整を実現し、上へ調整ロッド２２を調整することにより、右スライドブロック１９を上へ調整でき、下へ右スライドブロック１９を調整する時、調整ロッド２２を前へ引く同時に下に押し、横方向と鉛直方向との調整により挟みブロック１８を容器に対して適合な高度に調整し、挟み機構１０３が収納した容器の数と合わない場合、ガイドブロック４２をスライドさせることにより着脱を行い、割れやすい容器をきちんと置いた後、ノブ４６を回して割れやすい容器をきつく挟み、ノブ４６を回す時、緩衝を行うために緩衝バネ４４が一定程度の圧縮空間を取っておく必要があり、きつく挟んだ後に密閉板１５により収納チャンバ１６を密封すると同時にロックねじボルトにより密閉板１５を固定する。
【００２１】
上記により、本発明は構造が簡単で、使用が便利であり、酒を入れる瓶などのガラス容器をきつく挟んで収納でき、自動車が走行中に急ブレーキや衝突などの状況で容器が割れることを防止でき、安全な運転を保証でき、それと同時に本発明の挟み装置は調整されることができ、それにより異なる直径の容器をきつく挟め、実用性を大いに高める。
【００２２】
上記に述べたことは、ただ発明の具体的な実施方式であり、但し発明の保護範囲はこれに限定されるものではなく、創造的な労働を通さない場合で想到できるすべての変化または入れ替わりはいずれも発明の保護範囲に含むべきである。そのため、発明の保護範囲は請求項に限定された保護範囲を基準とするベきである。
【図１】
2020142853.tif 000003
【図２】
2020142853.tif 000004
【図３】
2020142853.tif 000005
【図４】
2020142853.tif 000006